(57)【要約】【課題】大きく見易いカードホルダを有し、鍵掛け不要で引き出しの飛び出し防止と、スライドレール不使用で引き出しの脱落防止を簡便な方法で解決する。【解決手段】引き出し正面が全てカードホルダとするなどの新発想と引き出し正面下部の、飛び出し防止用小片と、引き出し正面上部の脱落防止用の方向性動作の器具により要求を満足する。【選択図】図７
0003146313.tif 000002
【実用新案登録請求の範囲】
【請求項１】
主に引き出し型戸棚において、引き出し正面の大部分がカードホルダであり、鍵を掛けないで引き出しの飛び出しを防止し、スライドレールを使用しないで引出しの脱落を防止する装置を有する戸棚
【請求項２】
引き出し正面において（扉付き戸棚の扉部を含む）
（イ）全面がカードホルダであるもの。
（ロ）ｎ段に区切ったカードホルダであるもの。
（ハ）ｎ列に区切ったカードホルダであるもの。
（ニ）ｎ段ｎ列に区切ったカードホルダであるもの。
ただし一区画が１２ｃｍ２以下のものは除外します。
【請求項３】
引き出しの飛び出し防止装置として、正面鍵でない  引き出し正面下部に飛び出し防止小片を有しこれが、戸棚側枠の受桟により移動を制限され飛び出しを防止するもの。
【請求項４】
引き出しの脱落防止装置としてスライドレールでない押し込み時に引き出し奥板を受け流し、引き出す時に制止する方向性の動作をする器具により脱落を防止するもの。
【考案の詳細な説明】
【技術分野】
【０００１】  本案は、主に引き出し型戸棚で、引き出し正面のほぼ全てがカードホルダであり、正面鍵やスライドレールを使用しないで、引き出しの飛び出しや脱落を簡便な装置により防止したものである。
【背景技術】
【０００２】  従来引き出し型戸棚で内容物表示のカードホルダがあり、飛び出し防止の正面鍵と脱落防止のスライドレールがあった。【０００３】  ただ使用者としてカードが小さくて見づらい。次に正面鍵とスライドレールは確実であるが、わずらわしく少し大げさすぎるとの思いもあった。【０００４】
【非特許文献】コクヨ２００５オフィスファニチャー編４３２ＰのＢＷＺ−Ｌ３Ｂ４９，Ｌ４Ｃ４９
【考案の開示】
【考案が解決しようとする課題】
【０００５】  内容物表示のカードホルダが、小さくて見づらくデザインも今一つ物足りないのと引き出しの飛び出し防止の正面鍵と脱落防止のスライドレールは確実だが、大げさすぎるのを、なんとかしたい。
【課題を解決するための手段】
【０００６】  カードホルダについて  請求項２のとうり
（イ）全面がカードホルダであるもの。
（ロ）ｎ段に区切ったカードホルダであるもの。
（ハ）ｎ列に区切ったカードホルダであるもの。
（ニ）ｎ段ｎ列に区切ったカードホルダであるもの。
の、以上各種の大きなカードホルダにより見易くデザイン性のあるものと出来る。【０００７】  ひきだしの飛び出し防止について  請求項３のとうり
正面鍵でない引き出し正面下部に飛び出し防止小片を有しこれが、戸棚側枠受桟により移動を制限され飛び出しを防止するもの。【０００８】  ひきだしの脱落防止として  請求項４のとうり
スライドレールでない押し込み時に引き出し奥板を受け流し、引き出す時に制止する方向性の動作をする器具により脱落を防止するもの。
【考案の効果】
【０００９】  簡便な装置で、簡易耐震性を割安に実現でき、デザインも従来にない斬新なものとなります。
【考案を実施するための最良の形態】
【００１０】  課題を解決するための手段としてあげた大きなカードホルダと引き出しの飛び出し防止装置として、正面鍵でない飛び出し防止小片と、脱落防止装置としてスライドレールでない、方向性動作の器具を組み合わせたもの。
【実施例】
【００１１】
【００１２】  請求項２  のみを採用した戸棚【００１３】  請求項２と  スライドレールを組み合わせた戸棚【００１４】  請求項２と  正面鍵を組み合わせた戸棚【００１５】  請求項３と  スライドレールを組み合わせた戸棚【００１６】  請求項４と  正面鍵を組み合わせた戸棚【００１７】  請求項３と  請求項４を組み合わせた戸棚
【産業上の利用可能性】
【００１８】各種の戸棚に広く利用し、快適便利に使用できる。
【図面の簡単な説明】
【００１９】請求項２の引き出し正面図である。
【図１】引き出し正面の、全面又はほとんどがカードホルダであるもの。
【図２】引き出し正面がｎ段のカードホルダであるもの。
【図３】引き出し正面がｎ列のカードホルダであるもの。
【図４】引き出し正面がｎ段ｎ列のカードホルダであるもの。
【図５】請求項３の引き出し側断面図である。引き出し正面下部に飛び出し防止小片を有しこれが、戸棚側枠受桟により移動を制限され、飛び出しを防止している。手前へ引き出すときは、引き出しを少し持ち上げ受桟をかわし、手前へひきだす。
【図６】請求項４の引き出し側断面図である。引き出しの奥板上部が脱落防止器具により、引き出し量が制限されている。引き出しを、引き外す時のみ脱落防器止具を指を差し入れて上方へ、かわして手前へ引き出す。引き出しを納めるときは、単純に奥へ押し込めば脱落防止器具は自由に動くので、そのまま奥行きの所定の位置で停止できる。
【図７】引き出し型戸棚の全体図（一例）である。
【符号の説明】
【００２０】１  カードホルダ前板  （樹脂、合成樹脂、ガラス）
２  カードホルダ外枠  （金属、樹脂、合成樹脂、木材）
３  受桟              （金属、樹脂、合成樹脂、木材）
４  外枠函            （金属、樹脂、合成樹脂、木材）
【図１】
0003146313.tif 000003
【図２】
0003146313.tif 000004
【図３】
0003146313.tif 000005
【図４】
0003146313.tif 000006
【図５】
0003146313.tif 000007
【図６】
0003146313.tif 000008
【図７】
0003146313.tif 000009
【手続補正書】
【提出日】平成20年9月12日(2008.9.12)
【手続補正１】
【補正対象書類名】実用新案登録請求の範囲
【補正対象項目名】全文
【補正方法】変更
【補正の内容】
【実用新案登録請求の範囲】
【請求項１】
引き出し正面の大部分がカードホルダであり、鍵を掛けないで引き出しの飛び出しを防止する装置と、
スライドレールを使用しないで引き出しの脱落を防止する装置とを有する
ことを特徴とする引き出し型戸棚。
【請求項２】
引き出し正面において、前記カードホルダが以下の（イ）〜（ニ）の何れかである
ことを特徴とする請求項１に記載の引き出し型戸棚。
（イ）全面が１２ｃｍ２  より広い一区画であるカードホルダ
（ロ）一区画が１２ｃｍ２  より広くなるように、ｎ段に区切ったカードホルダ
（ハ）一区画が１２ｃｍ２  より広くなるように、ｎ列に区切ったカードホルダ
（ニ）一区画が１２ｃｍ２  より広くなるように、ｎ段ｎ列に区切ったカードホルダ
【請求項３】
前記飛び出しを防止する装置は、正面鍵でなく、引き出し正面下部に飛び出し防止片を有し、前記飛び出し防止片が、戸棚側枠の受桟により移動を制限され飛び出しを防止するものである
ことを特徴とする請求項１に記載の引き出し型戸棚。
【請求項４】
前記引き出しの脱落を防止する装置は、スライドレールでなく、押し込み時に引き出し奥板を受け流し、引き出し時に制止する方向性の動作をする器具により脱落を防止するものである
ことを特徴とする請求項１に記載の引き出し型戸棚。
【手続補正２】
【補正対象書類名】明細書
【補正対象項目名】全文
【補正方法】変更
【補正の内容】
【考案の詳細な説明】
【技術分野】
【０００１】
本考案は、引き出し型戸棚に関する。詳しくは正面鍵を使用しないで引き出しの飛び出しを防止し、かつスライドレールを使用しないで引き出しの脱落を防止する引き出し型戸棚に係るものである。
【背景技術】
【０００２】
従来より引き出し型戸棚では、複数に縦横列された棚内に引き出し戸が脱落防止のスライドレールによって引き出し自在な構成とされている。
また、引き出し戸正面には内容物表示のカードホルダが設けられると共に、引き出し戸が飛び出さないように正面鍵が設けられた構造とされている（例えば、非特許文献１参照）。
【０００３】
【非特許文献１】コクヨ２００５オフィスファニチャー編  ４３２ＰのＢＷＺ−Ｌ３ｂ４９、Ｌ４Ｃ４９
【考案の開示】
【考案が解決しようとする課題】
【０００４】
しかしながら従来の引き出し型戸棚では、棚内より引き出し戸の出し入れを行うためのスライドレールの設置および正面鍵の設置では、棚内と引き出し戸の双方に金具を取り付けなければならず全てが手作業となるために複数の引き出し型戸棚では製作に非常に手間がかかる問題がある。
【０００５】
本考案は、以上の点に鑑みて創案されたものであって、スライドレールおよび正面鍵を取り付けずに引き出しの脱落および引き出しの飛び出しを防止することを可能とする引き出し型戸棚を提供することを目的とするものである。
【課題を解決するための手段】
【０００６】
上記の目的を達成するために、本考案に係る引き出し型戸棚は、引き出し正面の大部分がカードホルダであり、鍵を掛けないで引き出しの飛び出しを防止する装置とスライドレールを使用しないで引き出しの脱落を防止する装置とを有する。
【０００７】
ここで、引き出し正面に大部分がカードホルダにより形成されることにより、内容物の表示が非常に見やすくなり、鍵を掛けないで引き出しの飛び出しを防止する装置とスライドレールを使用しないで引き出しの脱落を防止する機構とすることにより生産効率を向上させることができる。
【０００８】
また、引き出し正面において、カードホルダが、
（イ）全面が１２ｃｍ２  より広い一区画であるカードホルダ
（ロ）一区画が１２ｃｍ２  より広くなるように、ｎ段に区切ったカードホルダ
（ハ）一区画が１２ｃｍ２  より広くなるように、ｎ列に区切ったカードホルダ
（ニ）一区画が１２ｃｍ２  より広くなるように、ｎ段ｎ列に区切ったカードホルダ
のいずれかであることにより、見やすく、かつ複数に区切られることにより数種類の内容物を複数のカードによって表示することが可能となる。
【０００９】
また、飛び出しを防止する装置は、正面鍵でなく、引き出し正面下部に飛び出し防止片を有し、前記飛び出し防止片が、戸棚側枠の受桟により移動を制限され飛び出しを防止する構成とする。
【００１０】
また、引き出しの脱落を防止する装置は、スライドレールでなく、押し込み時に引き出し奥板を受け流し、引き出し時に制止する方向性の動作をする器具により脱落を防止する構成とする。
【考案の効果】
【００１１】
本考案の引き出し型戸棚によれば、スライドレールおよび正面鍵を設けることなく、引き出しの脱落および引き出しの飛び出しを防止する機構とすることにより簡便な構造となる。
【考案を実施するための最良の形態】
【００１２】
以下、本考案の実施の形態を図面を参酌しながら説明し、本考案の理解に供する。
図１（図１（イ）は本考案の引き出し型戸棚の引き出し正面の全部がカードホルダである例を示し、図１（ロ）は本考案の引き出し型戸棚の引き出し正面のほとんどがカードホルダである例を示し、図１（ハ）は本考案の引き出し型戸棚の引き出し正面のほとんどがカードホルダである他の例を示す）に示すように、カードホルダは引き出し正面に対してカードが挿入できる隙間を設けた状態で取り付けられる合成樹脂材、あるいはガラスより形成されるカードホルダ前板１により構成される。
【００１３】
ここで、図１（イ）は引き出し正面の全面に対してカードホルダ前板１が取り付けられ、図１（ロ）は引き出し正面の上下端に金属、合成樹脂材、あるいは木材より形成されるカードホルダ外枠２を取り付けられ、図１（ハ）は引き出し正面の上下、左右端に金属、合成樹脂材、あるいは木材より形成されるカードホルダ外枠２を取り付けられ構成とされている。
【００１４】
図２（図２（ロ１）は本考案の引き出し型戸棚の引き出し正面にカードホルダ外枠との３段構成のカードホルダである例を示し、図２（ロ２）は本考案の引き出し型戸棚の引き出し正面に２段構成のカードホルダである例を示し、図２（ハ１）は本考案の引き出し型戸棚の引き出し正面にカードホルダ外枠との３段構成のカードホルダである他の例を示し、図２（ハ２）は本考案の引き出し型戸棚の引き出し正面に２段構成のカードホルダである他の例を示す）に示すように、引き出し正面に複数段のカードホルダが設けられた構成とされている。
【００１５】
ここで、図２（ロ１）は、略同幅とされるカードホルダ前板１と、このカードホルダ前板１の上下位置に取り付けられるカードホルダ外枠２との構成とされている。
また、図２（ロ２）は、略同幅とされるカードホルダ前板１をカードホルダ外枠２を介しての２段構成とされている。次に図２（ハ１）は、引き出し正面の中央に取り付けられるカードホルダ前板１の周囲をカードホルダ外枠２によって囲んだ状態とされている。更に図２（ハ２）は、２段に取り付けられる略同幅とされるカードホルダ前板１、１の周囲をカードホルダ外枠２によって囲んだ状態とされている。
【００１６】
図３（図３（ニ）は３列のカードホルダの一例を示し、図３（ホ）は４列のカードホルダの一例を示す）に示すように、引き出し正面に対して複数列のカードホルダが取り付けられた構成とされている。
【００１７】
ここで、図３（ニ）は、引き出し正面に対して３列状にカードホルダ前板１が取り付けられると共に、引き出し正面の上下端にカードホルダ外枠２が取り付けられ構成とされている。
また、図３（ホ）は、引き出し正面に対して４列状にカードホルダ前板１が取り付けられると共に、このカードホルダ前板１を取り囲むようにカードホルダ外枠２が取り付けられ構成とされている。
【００１８】
次に、図４（図４（ヘ）は２段２列のカードホルダの一例を示し、図４（ト）は２段３列のカードホルダの一例を示す）に示すように、引き出し正面に対して複数段かつ、複数列のカードホルダが取り付けられた構成とされている。
【００１９】
ここで、図４（ヘ）は、引き出し正面に対して２段２列状にカードホルダ前板１が取り付けられると共に、カードホルダ前板１の上下端にカードホルダ外枠２が取り付けられ構成とされている。
また、図４（ト）は、引き出し正面に対して２段３２列状にカードホルダ前板１が取り付けられると共に、カードホルダ前板１を取り囲むようにカードホルダ外枠２が取り付けられ構成とされている。
【００２０】
図５は、本考案の引き出し型戸棚の引き出しの飛び出し防止構造の一例を示す説明図、図６は、本考案の引き出し型戸棚の引き出しの脱落防止構造の一例を示し説明図、図７は、本考案の引き出し型戸棚の一例を示す斜視図である。
【００２１】
ここで、図７に示すように引き出しの出し入れが行う棚の開口端には受桟３が取り付けられ、図５に示すように引き出しの先端側の下面には受桟と係合する飛び出し防止材が取り付けられることにより引き出し型戸棚が前方側に傾いた場合でも引き出しの先端側の下面の飛び出し防止材が受桟３と係合することによって引き出しの飛び出しを防止することが可能となる。また、引き出しを引き出す際には引き出しを上方に持ち上げるようにして受桟３と係合を解除することにより容易に引き出すことが可能となる。
【００２２】
次に、図６に示すように、棚の開口部の手前上面に脱落防止器具が取り付けられる。この脱落防止器具は、略直角の範囲内で可動することにより引き出す際に引き出しの奥側の上端が当接することによって引き出しの脱落を防止することが可能となる。
【図面の簡単な説明】
【００２３】
【図１】本考案を適用した引き出し型戸棚の引き出し正面の全部がカードホルダである一例を示す説明図である。
【図２】本考案を適用した引き出し型戸棚の引き出し正面がｎ段のカードホルダである一例を示す説明図である。
【図３】本考案を適用した引き出し型戸棚の引き出し正面がｎ列のカードホルダである一例を示す説明図である。
【図４】本考案を適用した引き出し型戸棚の引き出し正面がｎ段ｎ列のカードホルダである一例を示す説明図である。
【図５】本考案を適用した引き出し型戸棚の飛び出し防止の構造の一例を示す説明図である。
【図６】本考案を適用した引き出し型戸棚の脱落防止の構造の一例を示す説明図である。
【図７】本考案を適用した引き出し型戸棚の一例を示す斜視図である。
【符号の説明】
【００２４】
１      カードホルダ前板
２      カードホルダ外枠
３      受桟
４      外枠函